(57)【要約】【課題】ベッド不要時に寝具を収納できるとともに、室内を広く使用できるように室内の占有面積を小さくすることができるベッドを提供することを目的としている。【解決手段】複数の分割体２、３を連接することによって形成されるとともに、分割体２が他の分割体３の上方に積み重ね可能で、内部に収納空間Ｓを備えていることを特徴としている。【選択図】      図３
2004254809.tif 000002
【特許請求の範囲】
【請求項１】
複数の分割体を連接することによって形成されるとともに、分割体が他の分割体の上方に積み重ね可能で、内部に収納空間を備えていることを特徴とするベッド。
【請求項２】
少なくとも１つの分割体の天板に、着脱自在な蓋を有し、天板の他の部分に着座した人の足を収納空間内に臨ませることが可能な足挿入孔を備えている請求項１に記載のベッド。
【請求項３】
足挿入孔を有する分割体の収納空間を臨む側壁面に電気コードを挿通可能な孔が穿設されている請求項２に記載のベッド。
【発明の詳細な説明】
【０００１】
【発明の属する技術分野】
本発明は、ベッドに関する。
【０００２】
【従来の技術】
一般のマンション等は、その一室の面積が狭いため、ベッドなどを置くと、昼間でもその部屋を有効に利用することができない。
そこで、ベッドの不要時にベッドが邪魔にならないように、折り畳み式のベッド（特許文献１）が上市されている。
【０００３】
しかし、この折り畳み式のベッドの場合、寝具は、押し入れ等に収納しなければならないが、押し入れ等の収納スペースも不十分な家等では折り畳んだベッドに引っかけたままになっている場合も多く、大変見栄えが悪い。
【０００４】
【特許文献１】登録実用新案第３０５８３１３号公報
【０００５】
【発明が解決しようとする課題】
本発明は、上記事情に鑑みて、ベッド不要時に寝具を収納できるとともに、室内を広く使用できるように室内の占有面積を小さくすることができるベッドを提供することを目的としている。
【０００６】
【課題を解決するための手段】
上記目的を達成するために、本発明の請求項１に記載のベッド（以下、「請求項１のベッド」と記す）は、複数の分割体を連接することによって形成されるとともに、分割体が他の分割体の上方に積み重ね可能で、内部に収納空間を備えていることを特徴としている。
【０００７】
本発明の請求項２に記載のベッド（以下、「請求項２のベッド」と記す）は少なくとも１つの分割体の天板に、着脱自在な蓋を有し、天板の他の部分に着座した人の足を収納空間内に臨ませることが可能な足挿入孔を備えていることを特徴としている。
【０００８】
本発明の請求項３に記載のベッド（以下、「請求項３のベッド」と記す）は足挿入孔を有する分割体の収納空間を臨む側壁面に電気コードを挿通可能な孔が穿設されていることを特徴としている。
【０００９】
【発明の実施の形態】
以下に、本発明を、その実施の形態をあらわす図面を参照しつつ詳しく説明する。
図１〜図５は本発明にかかるベッドの１つの実施の形態をあらわしている。
【００１０】
図１に示すように、このベッド１は、長手方向の中央で分割された２つの分割体２，３が連接されることによって形成されている。
両分割体２，３は、図２に示すように、それぞれ上部開口をした内部に収納空間Ｓを有する底面が平らな箱状をした本体部２１（３１）と、本体部２１（３１）の上部開口を開閉自在に覆うとともに、寝具を受ける天板２２（３２）とを備え、一方の分割体２の両側壁（図では片側しかあらわれていない）に回動自在に設けられた係止鉤部材４を他方の分割体３の両側壁の対応する位置に設けられた係止ピン５に係止させることによって、連結状態を保持できるようになっている。
【００１１】
また、一方の就寝時に頭側になる衝立２３が設けられた分割体２は、天板２２の略中央部に蓋２４を備えた足挿入孔２５が設けられているとともに、その側壁面に電気コードが挿通可能な孔２６が収納空間Ｓに臨むように穿設されている。また、天板２２の足挿入孔２５のコーナー部近傍には、後述するテーブル７の脚７１が嵌まり込む脚嵌合凹部２８が穿設されている。
テーブル７は、収納空間Ｓ内に収納可能な大きさになっていて、図５に示すように、四隅の脚７１をそれぞれ脚嵌合凹部２８に嵌め込むことによって天板２２からずれないようになっている。
【００１２】
このベッド１は、以上のように、２つの分割体２，３から構成されているとともに、各分割体２，３の天板２２，３２を取り除けば、本体部２１，３２内に寝具を収納することができるようになっているので、昼間などのベッド不要時には、寝具を収納空間Ｓ内に収納し、図３に示すように、一方の分割体２を他方の分割体３の上に積み重ねれば、室内を見栄えよく、室内の占有面積を少なくして有効に使用することができる。
また、図４に示すように、収納空間Ｓからテーブル７を取り出すとともに、蓋２４を取り除き、足挿入孔２５を開口状態にしたのち、図５に示すように、テーブル７をその脚７１が脚嵌合凹部２８には嵌まり込むように天板２２上にセットすれば、天板２２上に腰をかけ、足を足挿入孔２５から収納空間Ｓに挿入して椅子付きテーブルとして有効利用することができる。
【００１３】
しかも、分割体２の側壁面には、電気コードを挿入可能な孔２６が穿設されているので、ホットカーペット等の暖房器具を収納空間Ｓにセットし、その電気コードを孔２６から外部に引き出し、図示していないが、プラグをコンセントに接続すれば、堀りごたつとしても使用できる。また、衝立２３を背にして座れば衝立２３を背もたれとして使用でき、非常に楽にすわることができる。
なお、本発明のベッドの材質は、木質系材料、金属材料、樹脂、あるいはこれらの材料の組み合わせのいずれでも構わない。
【００１４】
本発明にかかるベッドは、上記の実施の形態に限定されない。たとえば、上記の実施の形態では、分割体本体から天板を取り除くことによって収納空間に寝具等を出し入れできるようにしていたが、分割体の側壁に開閉自在な扉を設けたり、分割体の側面から出没する引き出しを設けるようにしても構わない。
また、上記の実施の形態では、一方の分割体のみの足挿入孔が設けられていたが、両方の分割体に設けるようにしても構わない。
【００１５】
さらに、上記の実施の形態では、２つの分割体に分割されていたが、３つ以上の分割体に分割されていても構わない。
また、上記の実施の形態ではベッド本体の長手方向のみに分割されていたが、幅方向にも分割されていても構わない。
【００１６】
上記の実施の形態では、両分割体の底が平らであったが、両分割体の底の四隅に脚を設け、積み重ね時に下側になる分割体の天板にこの四隅の脚が嵌まり込む凹部を設けるようにしても構わない。
また、上記の実施の形態のように収納空間内に暖房器具をセットする場合、本体部の内壁面を断熱材で形成するようにしても構わない。
【００１７】
【発明の効果】
本発明にかかるベッドは、以上のように構成されているので、ベッド不要時に寝具を収納できるとともに、室内を広く使用できるように室内の占有面積を小さくすることができる。
【００１８】
また、請求項２のベッドのようにすれば、ベッドを掘ごたつのようにして使用できる。
さらに、請求項３のベッドのようにすれば、ホットカーペット等の暖房器具を収納空間内にセットしたとき、簡単に暖房器具に給電することができる。
【図面の簡単な説明】
【図１】本発明にかかるベッドの１つの実施の形態をあらわす斜視図である。
【図２】図１のベッドの一方の天板を外した状態の斜視図である。
【図３】図１のベッドの２つの分割体を積み重ねた状態の斜視図である。
【図４】図１のベッドの足挿入孔の蓋を取り除いた状態の斜視図である。
【図５】図１のベッドのテーブルをセットした状態の斜視図である。
【符号の説明】
１  ベッド
２，３  分割体
Ｓ  収納空間
２２，３２  天板
２４  蓋
２５  足挿入孔
２８  孔
【図１】
2004254809.tif 000003
【図２】
2004254809.tif 000004
【図３】
2004254809.tif 000005
【図４】
2004254809.tif 000006
【図５】
2004254809.tif 000007